(57)【要約】【課題】吐水ヘッドを引出して使用でき、水栓を取替える際にカウンターの取付穴を開け直す必要がない湯水混合装置を提供する。【解決手段】吐水管を有する本体と、前記本体内の給水路および給湯路と、給水路および給湯路から供給される湯水を混合する湯水混合弁と、該弁で混合された混合水を吐水する吐水ヘッドと、前記吐水管内を通って前記湯水混合弁と前記吐水ヘッドとを連絡する吐水管と、前記本体外部に配置された浄水器と前記本体内部に配置された開閉弁とを途中に設け、前記給水路から分岐し、さらに前記吐水路に合流する浄水路と、前記吐水路の一部を可撓性ホースで構成した湯水混合装置において、前記給水路、前記給湯路、前記吐水路、前記浄水路の内の少なくとも一つを、前記本体外部に位置する部分の一部または全体を管材とし、かつその管材で構成した部分の一部または全体を円筒以外の形状とした。【選択図】  図６
2005002728.tif 000002
【特許請求の範囲】
【請求項１】
吐水管を有する本体と、前記本体内に水を引き込む給水路および湯を引き込む給湯路と、前記本体に内蔵され、給水路および給湯路から供給される湯水を混合し、所望の温度および流量に調整する湯水混合弁と、該湯水混合弁で混合された混合水を吐水する吐水ヘッドと、前記吐水管内を通って前記湯水混合弁と前記吐水ヘッドとを連絡する吐水管と、前記本体外部に配置された浄水器と前記本体内部に配置された開閉弁とを途中に設け、前記給水路から分岐し、さらに前記吐水路に合流する浄水路と、前記開閉弁を操作する開閉ハンドルとを備え、前記吐水路の一部を可撓性のあるホースで構成するとともに前記吐水ヘッドを引出自在とした湯水混合装置において、
前記給水路、前記給湯路、前記吐水路、前記浄水路の内の少なくとも一つ以上を、前記本体外部に位置する部分の一部または全体を管材で構成し、かつその管材で構成した部分の一部または全体を円筒以外の形状としたことを特徴とする湯水混合装置。
【請求項２】
吐水管を有する本体と、前記本体内に水を引き込む給水路および湯を引き込む給湯路と、本体に内蔵され給水路および給湯路から供給される湯水を混合し所望の温度および流量に調整する湯水混合弁と、前記湯水混合弁で混合された混合水を前記本体外に吐水する吐水ヘッドと、前記吐水管内を通って前記湯水混合弁と前記吐水ヘッドとを連絡する吐水管と、前記本体外部に配置された浄水器を設け前記吐水路から分岐し前記吐水路の下流に合流する浄水路と、前記吐水路の前記浄水路分岐部に配置され前記吐水路上流からの混合水を前記吐水路下流または前記浄水路のいずれかに排出する切替弁と、前記切替弁を操作する切替ハンドルとを備え、前記吐水路の一部を可撓性のあるホースで構成するとともに前記本体外部に引き回し前記吐水ヘッドを引出自在とした湯水混合装置において、
前記給水路、前記給湯路、前記吐水路、前記浄水路の内の少なくとも一つ以上を前記本体外部に構成された部分の一部または全体を管材で構成し、かつその管材で構成した部分の一部または全体を円筒以外の形状としたことを特徴とする湯水混合装置。
【発明の詳細な説明】
【０００１】
【発明の属する技術分野】
本発明は、浄水器などを接続して原水と浄水（浄水器を通した原水）両方を使用できる湯水混合装置に関する。
【０００２】
【従来の技術】
従来より、水または湯水を混合した後の混合水を浄水器に通して吐水することにより、原水のみならず水温または好みの水温の浄水が使用できるようにした湯水混合装置が知られている。
【０００３】
特許文献１では、給水路、給湯路を本体内に導き、それらから供給される水、湯を混合する湯水混合弁を本体に内蔵し、湯水混合弁から排出される混合水を吐水ヘッドに導く吐水路の一部を本体外部に引き回し、吐水ヘッドを引出自在とした湯水混合栓において、給水路から分岐し吐水路に合流する浄水路の途中に本体外部に配置した浄水器と本体内部に配置した開閉弁を設け、開閉弁の操作によって吐水ヘッドから浄水を吐水できるようにした水処理器用水栓が開示されている。
【０００４】
【特許文献１】
特開２００１−３０３６３４号公報
【０００５】
【発明が解決しようとする課題】
しかし、水栓内部から外部下方に出てくる配管は、図９のように吐水ヘッドを引出自在とした一般的な湯水混合栓の場合は湯水混合弁への給水路１２の１本、給湯路１３の１本、および湯水混合栓弁からの吐水路２１の１本、吐水路２１下流の吐水ホース２２の１本の計４本となるのに対し、特許文献１の場合、図８にように給水路１２の１本、給湯路１３の１本、吐水路２１の１本、吐水路２１下流の吐水ホース２２の１本に浄水路の１本が加わり計５本となる。
【０００６】
通常、一般的な湯水混合栓の場合はカウンターなどに取り付ける際に開ける穴は施工説明書によれば直径３３〜３７ミリメートル程度であることから、現場によっては最小値の直径３３ミリメートルで開けてある場合も多い。器具の取替えを想定した場合にはこの穴径に５本の配管を通せるようにしておく必要があり、その場合には湯水混合栓の各配管径を小さくせざるを得ず、既設の一般的な湯水混合栓と同等の混合水吐水量および十分な浄水吐水量を確保できないといった問題がある。
【０００７】
しかも配管同士の隙間や配管と取付穴の隙間が狭いため、吐水ヘッドを引き出す際にストレスを生じたり、それにより吐水ヘッドが吐水路から抜け、各配管が収納されているカウンター下のキャビネットが水浸しになる恐れがある。
【０００８】
また、一般的な湯水混合栓と同等の混合水吐水量および十分な浄水吐水量を確保できるような配管径とした場合には、水栓内部から外部下方に出てくる配管が全て入る円の直径が大きくなるため、現場にて取付穴径を大きく加工し直す必要があるが、既存の穴があるため芯ずれを起こしたり、ステンレス製カウンターでは硬く加工がしずらいといった問題がある。
【０００９】
本発明は、上記課題を解決するためになされたもので、本発明の目的は、水温または好みの混合水温の浄水が使用でき、吐水ヘッドを引出して使用できるとともに、一般的な湯水混合栓から取替える際にカウンターなどの取付穴径を大きく開け直す必要がなく、同等の混合水吐水量および十分な浄水吐水量を確保しつつ、スムーズに吐水ヘッドが引き出せる湯水混合装置を提供することにある。
【００１０】
【課題を解決するための手段・作用および効果】
上記目的を達成するために、請求項１では、吐水管を有する本体と、前記本体内に水を引き込む給水路および湯を引き込む給湯路と、前記本体に内蔵され、給水路および給湯路から供給される湯水を混合し、所望の温度および流量に調整する湯水混合弁と、該湯水混合弁で混合された混合水を吐水する吐水ヘッドと、前記吐水管内を通って前記湯水混合弁と前記吐水ヘッドとを連絡する吐水管と、前記本体外部に配置された浄水器と前記本体内部に配置された開閉弁とを途中に設け、前記給水路から分岐し、さらに前記吐水路に合流する浄水路と、前記開閉弁を操作する開閉ハンドルとを備え、前記吐水路の一部を可撓性のあるホースで構成するとともに前記吐水ヘッドを引出自在とした湯水混合装置において、
前記給水路、前記給湯路、前記吐水路、前記浄水路の内の少なくとも一つ以上を、前記本体外部に位置する部分の一部または全体を管材で構成し、かつその管材で構成した部分の一部または全体を円筒以外の形状とした。
【００１１】
上記発明によれば、水温の浄水を使用でき、吐水ヘッドを引出し自在にしたことにより浄水を電気ポットなどに注ぐ際や原水でシンクを清掃する際に使い勝手がよい湯水混合装置であるにもかかわらず、給水路、給湯路、吐水路、浄水路の内の少なくとも一つ以上を本体外部に構成された部分を銅管などの管材で構成し、かつその管材で構成したカウンターなどへの取付穴に通す部分を断面が取付穴のデットスペースを埋めるように成形された円筒以外の形状とすることにより、取付穴に通す管が多くても一般的な湯水混合栓から取替える際に既存のカウンターなどの取付穴径を大きくせずに通すことができ、さらに同等の混合水吐水量および十分な浄水吐水量を確保しつつ、吐水ヘッド引き出す際に取付穴部に吐水路のホースが引っ掛かったりせずスムーズに吐水ヘッドが引き出せる。
【００１２】
請求項２では、吐水管を有する本体と、前記本体内に水を引き込む給水路および湯を引き込む給湯路と、本体に内蔵され給水路および給湯路から供給される湯水を混合し所望の温度および流量に調整する湯水混合弁と、前記湯水混合弁で混合された混合水を前記本体外に吐水する吐水ヘッドと、前記吐水管内を通って前記湯水混合弁と前記吐水ヘッドとを連絡する吐水管と、前記本体外部に配置された浄水器を設け前記吐水路から分岐し前記吐水路の下流に合流する浄水路と、前記吐水路の前記浄水路分岐部に配置され前記吐水路上流からの混合水を前記吐水路下流または前記浄水路のいずれかに排出する切替弁と、前記切替弁を操作する切替ハンドルとを備え、前記吐水路の一部を可撓性のあるホースで構成するとともに前記本体外部に引き回し前記吐水ヘッドを引出自在とした湯水混合装置において、
前記給水路、前記給湯路、前記吐水路、前記浄水路の内の少なくとも一つ以上を前記本体外部に構成された部分の一部または全体を管材で構成し、かつその管材で構成した部分の一部または全体を円筒以外の形状とした。
【００１３】
上記発明によれば、混合水温の浄水を使用でき、吐水ヘッドを引出し自在にしたことにより浄水を電気ポットなどに注ぐ際や原水でシンクを清掃する際に使い勝手がよい湯水混合装置であるにもかかわらず、給水路、給湯路、吐水路、浄水路の内の少なくとも一つ以上を本体外部に構成された部分を銅管などの管材で構成し、かつその管材で構成したカウンターなどへの取付穴に通す部分を断面が取付穴のデットスペースを埋めるように成形された円筒以外の形状とすることにより、取付穴に通す管が多くても一般的な湯水混合栓から取替える際に既存のカウンターなどの取付穴径を大きくせずに通すことができ、さらに同等の混合水吐水量および十分な浄水吐水量を確保しつつ、吐水ヘッド引き出す際に取付穴部に吐水路のホースが引っ掛かったりせずスムーズに吐水ヘッドが引き出せる。
【００１４】
【発明の実施の形態】
以下、本発明の実施形態に係る浄水器用湯水混合栓について図１、図２および図５を用いて説明する。
図１は第一実施形態を示す浄水器用湯水混合栓であり、次のような構成となる。
本体４は流し台などのカウンター１００上に図５のように馬蹄型固定具を後述する吐水路２１に通し、カウンター１００下方より図示しないスペーサを介して図示しないナットで締付けて固定されている。
【００１５】
本体４には吐水管５が突設されており、この吐水管５の先端に吐水ヘッド２０が着脱自在に保持されている。本体４上部には湯水混合弁１１が内蔵されており、カウンター１００下方に設置される給水源２（例えば給水側止水栓）および給湯源３（例えば給湯側止水栓）からそれぞれ延びる給水路１２および給湯路１３がそれぞれ接続されている。また、本体４のさらに上部には湯水混合ハンドル１０が取り付けられており、この湯水混合ハンドル１０の傾動・回動操作により湯水混合弁１１を駆動させ、給水源２から給水路１２を介して供給される水および給湯源３から給湯路１３を介して供給される湯を混合して所望の水量および温度に調節し、混合した混合水を吐水路２１に排出する。
【００１６】
また、吐水路２１の下流側は本体空洞４Ａおよび吐水管５内を通った吐水ホース２２、吐水ヘッド２０の順に接続されている。そして、吐水ホース２２は可撓性のあるホースで構成されており、本体４外部下方に吐水ヘッド２０を吐水管５から引き出すのに十分な長さを有して配置されている。
【００１７】
カウンター１００下方には水道水に含まれる赤さびや残留塩素等の不純物を濾過して除去する浄水器３０が設置されている。この浄水器３０は活性炭や中空糸膜などのろ材を収納した交換可能なカートリッジを内蔵した浄水器、またはカートリッジそのものである。そして、浄水器３０には水を流入するための浄水路３１Ｂと水を濾過して排出するための浄水路３２が接続されている。また、浄水路３１Ｂの上流側は開閉弁６１、本体４内部で給水路１２から分岐した浄水路３１Ａに接続され、浄水路３２の下流側は吐水路２１と吐水ホース２２の間に設けられた本体４外部にある合流継手５０に接続されている。
【００１８】
開閉弁６１は本体４に内蔵されており、本体４の側面に配置された開閉ハンドル６０により操作される。この開閉ハンドル６０の回動操作により、浄水路３１Ａから開閉弁６１に流入した水を浄水路３１Ｂに排出するか否かのいずれかに切替える。そして、開閉弁６１を開成し浄水路３１Ｂに排出された水は浄水器３０、浄水路３２、合流継手５０、吐水ホース２２、吐水ヘッド２０を経て浄水として使用者へ吐水される。
【００１９】
次に、浄水吐水の開閉機構について図３を用いて説明する。
開閉弁６１は、一点鎖線で示す回転軸上に円筒形状の弁ケース４８に弁棒４４に固定された円筒形状の弁４６が内蔵され、ナット４３により本体４内部に固定されている。弁ケース４８には本体４内部に形成された浄水路３１Ｂに連通する側に弁パッキン４５Ｂが装着されている。弁棒４４には開閉ハンドル６０がネジ４２により固定されている。弁４６は、円筒面上に開口４７Ａ、４７Ｂ、および回転軸方向の浄水路３１Ａに連通する側に開口４７Ｃを有する。
【００２０】
上記した構成により、湯水混合弁１１を閉止状態にしておき、まず、開閉ハンドル６０を回動操作し、弁４６を図３（Ａ）の状態にすると、開口４７Ａ、４７Ｂともに浄水路３１Ｂに連通する側に向かないため浄水路３１Ａから流入した水の流れは遮断され浄水路３１Ｂに排出されないため浄水は止水される。つぎに、図３（Ａ）の状態から、開閉ハンドル６０を約９０°回動操作し、弁４６を図３（Ｂ）の状態にすると、開口４７Ｂは浄水路３１Ｂに連通する側に向くため水は浄水路３１Ａから開口４７Ｃを経て弁４６内に流入し開口４７Ｂを経て浄水路３１Ｂに排出されるため、吐水ヘッド２０から浄水が吐水される。このようにして、開閉ハンドル６０により開閉弁６１を駆動させることにより、水温の浄水の吐水／止水が可能となる。
【００２１】
図２は第二実施形態を示す浄水器用湯水混合栓であり、次のような構成となる。
本体４は流し台などのカウンター１００上に図５のように馬蹄型固定具を後述する吐水路２１に通し、カウンター１００下方より図示しないスペーサを介して図示しないナットで締付けて固定されている。
【００２２】
本体４には吐水管５が突設されており、この吐水管５の先端に吐水ヘッド２０が着脱自在に保持されている。本体４上部には湯水混合弁１１が内蔵されており、カウンター１００下方に設置される給水源２（例えば給水側止水栓）および給湯源３（例えば給湯側止水栓）からそれぞれ延びる給水路１２および給湯路１３がそれぞれ接続されている。また、本体４のさらに上部には湯水混合ハンドル１０が取り付けられており、この湯水混合ハンドル１０の傾動・回動操作により湯水混合弁１１を駆動させ、給水源２から給水路１２を介して供給される水および給湯源３から給湯路１３を介して供給される湯を混合して所望の水量および温度に調節し、混合した混合水を混合水路１４に排出する。
【００２３】
また、混合水路１４の下流側は切替弁４１、吐水路２１、本体空洞４Ａおよび吐水管５内を通った吐水ホース２２、吐水ヘッド２０の順に接続されている。そして、吐水ホース２２は可撓性のあるホースで構成されており、本体４外部下方に吐水ヘッド２０を吐水管５から引き出すのに十分な長さを有して配置されている。
【００２４】
カウンター１００下方には水道水に含まれる赤さびや残留塩素等の不純物を濾過して除去する浄水器３０が設置されている。この浄水器３０は活性炭や中空糸膜などのろ材を収納した交換可能なカートリッジを内蔵した浄水器、またはカートリッジそのものである。そして、浄水器３０には混合水を流入するための浄水路３１と混合水を濾過して排出するための浄水路３２が接続されている。また、浄水路３１の上流側は切替弁４１に接続され、浄水路３２の下流側は吐水路２１と吐水ホース２２の間に設けられた本体４外部にある合流継手５０に接続されている。
【００２５】
切替弁４１は本体４に内蔵されており、本体４の側面に配置された切替ハンドル４０により操作される。この切替ハンドル４０の回動操作により、混合水路１４から切替弁４１に流入した混合水を吐水路２１へ排出するか浄水路３１に排出するかのいずれかに切替える。そして、切替弁４１を切替えて吐水路２１に排出された混合水は合流継手５０、吐水ホース２２、吐水ヘッド２０を経て原水のまま使用者へ吐水される。一方、切替弁４１を切替えて切替弁４１から浄水路３１に排出された混合水は浄水器３０、浄水路３２、合流継手５０、吐水ホース２２、吐水ヘッド２０を経て浄水として使用者へ吐水される。
【００２６】
次に、原水吐水と浄水吐水の切替機構について図４を用いて説明する。
切替弁４１は、一点鎖線で示す回転軸上に円筒形状の弁ケース４８に弁棒４４に固定された円筒形状の弁４６が内蔵され、ナット４３により本体４内部に固定されている。弁ケース４８には本体４内部に形成された吐水路２１に連通する側に弁パッキン４５Ａと浄水路３１に連通する側に弁パッキン４５Ｂが装着されている。弁棒４４には切替ハンドル４０がネジ４２により固定されている。弁４６は、円筒面上に開口４７Ａ、４７Ｂ、および回転軸方向の混合水路１４に連通する側に開口４７Ｃを有する。
【００２７】
上記した構成により、まず、切替ハンドル４０を回動操作し、弁４６を図５（Ａ）の状態にすると、開口４７Ａは吐水路２１に連通する側に向くため混合水は混合水路１４から開口４７Ｃを経て弁４６内に流入し開口４７Ａを経て吐水路２１に排出されるため、吐水ヘッド２０から混合水が原水のまま吐水される。つぎに、図５（Ａ）の状態から、切替ハンドル４０を約９０°回動操作し、弁４６を図５（Ｂ）の状態にすると、開口４７Ｂは浄水路３１に連通する側に向くため混合水は混合水路１４から開口４７Ｃを経て弁４６内に流入し開口４７Ｂを経て浄水路３１に排出されるため、吐水ヘッド２０から混合水が浄水として吐水される。このようにして、切替ハンドル４０により切替弁４１を駆動させることにより、混合水の原水吐水／浄水吐水の切替が可能となる。
【００２８】
次に、第一、第二実施形態のカウンター１００への取付穴部について図５〜図７を用いて説明する。
【００２９】
カウンター１００に開いた取付穴１０１は本体４を取り付ける際に本体４内部から外部下方へ延びた給水路１２、給湯路１３、吐水路２１、吐水ホース２２、浄水路３１Ｂ（または３１）の計５本の配管を挿入するためのものである。この取付穴１０１は一般的な湯水混合栓が取り付けてあったときに開けてあったもので、外径は３３ミリメートル程度とする。本体４外部の給水路１２、給湯路１３、吐水路２１、浄水路３１Ｂ（または３１）の各配管は本体４の底面にロー付けや螺合により接続され、それぞれ本体４内部に構成されている給水路１２、給湯路１３、吐水路２１、浄水路３１Ｂ（または３１）に連通している。また、吐水ホース２２は本体空洞４Ａ内および取付穴１０１内にスムーズに上下動できるように余裕を持って通されている。本体４外部の吐水路２１は馬蹄型固定具１０２、図示しないスペーサ、ナットを通すために外形を丸型とし、さらに吐水ホース２２は可撓性を持たせるために外形を丸型としている。
【００３０】
外径３３ミリメートルの穴に一般的な湯水混合栓と同じ外径９．５ミリメートルの給水路１２と給湯路１３、外径１２ミリメートルの吐水路２１、外径１４ミリメートルの吐水ホース２２、および本発明の浄水器用湯水混合栓で追加された外径８ミリメートルの浄水路３１Ｂ（または３１）の各配管を入れようとすると、図８のように各配管が接近し、本体４底部に接続する際に必要な肉厚が確保できず各配管を本体４と接続できない状態となる。
【００３１】
そこで、給水路１２、給湯路１３、浄水路３１Ｂ（または３１）の本体４内部から外部下方へ延びた部分を銅管で構成し、さらに図６に示すように取付穴１０１付近の断面を本体４への接続に必要な本体４の肉厚を確保しつつ、取付穴１０１のデッドスペースを埋めるために、プレス加工やバルジ加工などにより円形の銅管を角丸の多角形形状に成形している。
ここで、給水路１２、給湯路１３の下部は給水源２、給湯源３に直接若しくは別のホースを介して接続するため通常円筒形の継手を接続しておく必要があるため図７にように外径を丸型としている。また、浄水路３１Ｂ（または３１）の下部も浄水器３０に接続するため通常円筒形の継手を接続しておく必要があるため図７のように同じく外径を丸型としている。
また、取付穴１０１に各配管をスムーズに挿入できるように各配管の下部の高さを変えて構成している。
【００３２】
以上のような構成により、カウンター１００の取付穴１０１に各配管を挿入する際の手順を説明すると、まず吐水管２１から外された吐水ホース２２を本体４の上方から挿入し、続いて浄水路３１Ｂ（または３１）、給水路１２、給湯路１３の順に挿入し、最後に配管下部に継手等引っかかるものがない吐水路２１を挿入し、吐水管２１と吐水ホース２２を接続継手（図示せず）により接続した後、本体４を固定する。
【００３３】
なお、馬蹄型固定具１０２を通す配管を吐水路２１としたが給水路１２、給湯路１３、浄水路３１Ｂ（または３１）のいずれかでもよい。
また、本発明の目的を達成できるのであれば馬蹄型固定具１０２を通す配管および吐水ホース２２を除いた配管の内いずれか１つ以上を取付穴１０１のデッドスペースを埋めるような形状に成形するようにしてもよい。
【００３４】
なお、以上の説明において示した数値や配置位置や形状などは一例であって、限定されるものではない。
【００３５】
例えば、湯水混合弁１１は、上記構成に限ったものではなく、２ハンドル式、サーモスタット式などでもよく、また、機械的に駆動されるもののみならず、電気的に駆動される電磁弁などを用いてもよく、その場合、湯水混合ハンドル１０はスイッチなどの操作手段を用いてもよい。
【００３６】
また、開閉弁６１、切替弁４１は弁体が円筒形状のシリンダー式のものを紹介したが、スプール式やボール式などさまざまな方式が考えられ、また、機械的に駆動されるもののみならず、電気的に駆動される電磁弁などを用いてもよく、その場合、開閉ハンドル６０、切替ハンドル４０はスイッチなどの操作手段を用いてもよい。
【００３７】
さらに設置場所として流し台のみならず、洗面台や浴室に設置される場合にも適用することが可能である。
【００３８】
また、浄水路３２の途中や合流継手５０の浄水路３２との接続部に逆止弁を設けておけば、吐水路２１からの原水の浄水器３０への逆流を防止できる。
【００３９】
また、浄水路３１Ｂ（３１）、３２の途中や合流継手５０の浄水路３２との接続部に定流量弁を設けておけば、吐水量過多による浄水能力の低下や寿命の短縮を防止できる。
【００４０】
さらに、吐水ヘッドを引き出しできないタイプや浄水器が接続していないタイプの湯水混合栓、または元止式単水栓などにも応用できる。
【００４１】
【発明の効果】
以上のように、本発明によると以下の効果を奏することができる。
請求項１においては、水温の浄水を使用でき、吐水ヘッドを引出し自在にしたことにより浄水を電気ポットなどに注ぐ際や原水でシンクを清掃する際に使い勝手がよい浄水器用湯水混合栓であるにもかかわらず、給水路、給湯路、吐水路、浄水路の内の少なくとも一つ以上を本体外部に構成された部分を銅管などの管材で構成し、かつその管材で構成したカウンターなどへの取付穴に通す部分を断面が取付穴のデットスペースを埋めるように成形された円筒以外の形状とすることにより、取付穴に通す管が多くても一般的な湯水混合栓から取替える際に既存のカウンターなどの取付穴径を大きくせずに通すことができ、さらに同等の混合水吐水量および十分な浄水吐水量を確保しつつ、吐水ヘッド引き出す際に取付穴部に吐水路のホースが引っ掛かったりせずスムーズに吐水ヘッドが引き出せる。
また、請求項２においては、混合水温の浄水を使用でき、吐水ヘッドを引出し自在にしたことにより浄水を電気ポットなどに注ぐ際や原水でシンクを清掃する際に使い勝手がよい浄水器用湯水混合栓であるにもかかわらず、給水路、給湯路、吐水路、浄水路の内の少なくとも一つ以上を本体外部に構成された部分を銅管などの管材で構成し、かつその管材で構成したカウンターなどへの取付穴に通す部分を断面が取付穴のデットスペースを埋めるように成形された円筒以外の形状とすることにより、取付穴に通す管が多くても一般的な湯水混合栓から取替える際に既存のカウンターなどの取付穴径を大きくせずに通すことができ、さらに同等の混合水吐水量および十分な浄水吐水量を確保しつつ、吐水ヘッド引き出す際に取付穴部に吐水路のホースが引っ掛かったりせずスムーズに吐水ヘッドが引き出せる。
【図面の簡単な説明】
【図１】本発明の第一実施形態を示す浄水器用湯水混合栓のブロック図
【図２】本発明の第二実施形態を示す浄水器用湯水混合栓のブロック図
【図３】本発明の浄水開閉機構を示す内観図
【図４】本発明の原水／浄水切替機構を示す内観図
【図５】本発明の浄水器用湯水混合栓の一部縦断面図
【図６】図５のＡ−Ａ断面図
【図７】図５のＢ−Ｂ断面図
【図８】従来の浄水器用湯水混合栓のカウンター取付部付近の断面図
【図９】一般的な湯水混合栓のカウンター取付部付近の断面図
【符号の説明】
１…浄水用湯水混合栓
２…給水源
３…給湯源
４…本体
４Ａ…本体空洞
５…吐水管
１０…湯水混合ハンドル、
１１…湯水混合弁、
１２…給水路
１３…給湯路
２０…吐水ヘッド
２１…吐水路
２２…吐水ホース
３０…浄水器
３１、３１Ａ、３１Ｂ、３２…浄水路
４０…切替ハンドル
４１…切替弁
４２…ネジ
４３…ナット
４４…弁棒
４５Ａ、４５Ｂ…弁パッキン
４６…弁
４７Ａ、４７Ｂ、４７Ｃ…開口
４８…弁ケース
５０…合流継手
６０…開閉ハンドル
６１…開閉弁
１００…カウンター
１０１…取付穴
１０２…馬蹄型固定具
【図１】
2005002728.tif 000003
【図２】
2005002728.tif 000004
【図３】
2005002728.tif 000005
【図４】
2005002728.tif 000006
【図５】
2005002728.tif 000007
【図６】
2005002728.tif 000008
【図７】
2005002728.tif 000009
【図８】
2005002728.tif 000010
【図９】
2005002728.tif 000011